(57)【要約】【課題】  複数のＩＤタグを一つのＲＷで制御可能で、回路規模が小さく安価に構成できるリーダ・ライタ装置を提供する。【解決手段】  複数のＩＤタグ１００にそれぞれ対応した複数のチャンネル１６と、複数のチャンネルとの間でデータを送受信するコントローラ１４を備え、複数のチャンネルはそれぞれ、対応するＩＤタグの通信仕様に対応するアンテナ部１８と変復調部２０を有する。コントローラは、通信相手となるＩＤタグの通信仕様に応じて、当該通信相手となるＩＤタグと通信可能な状態に切り替わる。【選択図】図１
2006195550.tif 000002
【特許請求の範囲】
【請求項１】
複数のＩＤタグにそれぞれ対応した複数のチャンネルと、上記複数のチャンネルとの間でデータを送受信するコントローラを備え、
上記複数のチャンネルはそれぞれ、対応するＩＤタグの通信仕様に対応するアンテナ部と変復調部を有し、
上記コントローラは、通信相手となるＩＤタグの通信仕様に応じて、当該通信相手となるＩＤタグと通信可能な状態に切り替わることを特徴とすることを特徴とするリーダ・ライタ装置。
【請求項２】
上記複数のチャンネルはそれぞれ、各ＩＤタグの通信仕様に対応した周波数の搬送波を出力することを特徴とする請求項１に記載のリーダ・ライタ装置。
【請求項３】
上記コントローラは、上記コントローラに入力される送信データに基づいて上記伝送プロトコルを選択することを特徴とする請求項１又は２に記載のリーダ・ライタ装置。
【請求項４】
上記コントローラは、通信相手となるＩＤタグの通信仕様に応じた伝送プロトコルを選択する伝送プロトコル切換部を有することを特徴とする請求項１又は２のいずれか一に記載のリーダ・ライタ装置。
【請求項５】
上記コントローラは、上記コントローラに入力される送信データに基づいて符号化変復調方式を選択することを特徴とする請求項１〜４のいずれかに記載のリーダ・ライタ装置。
【請求項６】
上記コントローラは、通信相手となるＩＤタグの通信仕様に応じた符号化変復調方式を選択する符号化切換部を有することを特徴とする請求項１〜４のいずれか一に記載のリーダ・ライタ装置。
【請求項７】
上記コントローラは、
上記複数のＩＤタグのそれぞれに対応する通信仕様の信号を作成し、
上記作成された信号を対応するチャンネルから出力し、
上記チャンネルから出力された信号に応答する信号から伝送プロトコルと符号化変復調方式を決定することを特徴とする請求項１又は２に記載のリーダ・ライタ装置。
【請求項８】
第１の通信方式に対応した第１のチャンネルと、
上記第１のチャンネルと異なる第２の通信方式に対応した第２のチャンネルと、
上記第１及び第２のチャンネルとの間でデータを送受信するコントローラを備え、
上記コントローラは上記第１のチャンネル又は第２のチャンネルに対応した通信仕様を選択することを特徴とするリーダ・ライタ装置。
【請求項９】
上記第２の通信方式が光による通信方式であることを特徴とする請求項８に記載のリーダ・ライタ装置。
【請求項１０】
上記第２の通信方式が有線による通信方式である有線により情報を伝送することを特徴とする請求項８に記載のリーダ・ライタ装置。
【請求項１１】
上記第２の通信方式が無線による通信方式であることを特徴とする請求項８に記載のリーダ・ライタ装置。
【発明の詳細な説明】
【技術分野】
【０００１】
本発明は、リーダ・ライタ装置に関する。
【背景技術】
【０００２】
近年、ＩＤタグは、小型化と低価格化が著しく進み、また、バーコードに比べて圧倒的に多くの情報を扱えることから、多くの製品や商品などに取り付けられて利用されるようになってきた。例えば、商店に陳列されている商品の内容や流通履歴などの情報が、商品に取り付けられているＩＤタグのメモリに格納されており、消費者はリーダ・ライタ（ＲＷ）を目的の商品に近づけるだけで商品の情報を確認することができるようになった。
【０００３】
一般的なＲＷとＩＤタグの回路構成を図６に示す。図において、ＲＷ２００は、変調用ビット・コーディング部２０２、変調回路２０４、復調用ビット・コーディング部２０６、復調回路２０８、ドライバ２１０、アンテナ２１２、ＲＷ制御部２１４、コントローラ２１６で構成されている。ＩＤタグ２５０は、変調用ビット・コーディング部２５２、変調回路２５４、復調用ビット・コーディング部２５６、復調回路２５８、アンテナ２６０、ＴＡＧ制御部２６２、メモリ２６４で構成されている。
【０００４】
このような構成において、コントローラ２１６は、コマンドや情報を格納したメモリを備え、ＲＷ制御部２１４に指示および情報を与える。ＲＷ制御部２１４は、ＲＷ２００の通信制御を司り、コントローラ２１６から送られてくるコマンドや情報を変調用ビット・コーディング部２０２に送る。変調用ビット・コーディング部２０２は、入力されたコマンドや情報をＮＲＺ符号やマンチェスタ符号などの方式に従って符号化されたシリアルデータに変換する。変調回路２０４は、符号化されたデータで搬送波の変調を行う。変調された搬送波はドライバ２１０で増幅され、アンテナ２１２から電波として送出される。なお、データを送出する場合は、ドライバ２１０は前もってＲＷ制御部２１４によって活性化させておく。
【０００５】
ＲＷ２００から送出された電波をＩＤタグ２５０のアンテナ２６０が受信するとアンテナ２６０に起電力が発生する。図示していないが、ＩＤタグ２５０に含まれる種々の回路には、この起電力を整流して与えられる。アンテナ２６０が受信した信号は復調回路２５８で復調され、復調用ビット・コーディング部２５６で符号化されていたシリアル信号がデジタル信号に復元され、ＴＡＧ制御部２６２に入力される。ＴＡＧ制御部２６２はＩＤタグ２５０の通信制御を行い、入力された信号に基づいてメモリ２６４から所望のデータを取り出し、変調用ビット・コーディング部２５２に送る。変調用ビット・コーディング部２５２では、ＴＡＧ制御部２６２から送られてきたデータをＮＲＺ符号やマンチェスタ符号などの方式に従って符号化する。符号化されたデータは変調回路２５４で変調されアンテナ２６０から送出される。
【０００６】
ＲＷ２００は、ＩＤタグ２５０から送られてきたデータをアンテナ２１２で受信し、復調回路２０８に送る。復調回路２０８で復調されたデータは復調用ビット・コーディング部２０６で符号化されていたシリアル信号がデジタルデータに復元される。復元されたデータは、ＲＷ制御部２１４を介してコントローラ２１６に入力され、処理される。
【０００７】
上述のように、通常ＩＤタグ２５０の電力は、アンテナ２６０から供給されているため、ＩＤタグ２５０からＲＷ２００側に信号を送信する返信方式には、電力消費量の少ない負荷変調方式が採用されている。また、ＲＷ２００側では、ＩＤタグ２５０の電力をアンテナ２１２から供給するため、送電性に優れた振幅シフト・キーイング(ＡＳＫ変調)を行うのが一般的である。
【０００８】
ところで、１３.５６ＭＨｚ帯を利用したＩＤタグとＲＷとの通信に関する規格として、近接型のＩＳＯ１４４４３規格と近傍型のＩＳＯ１５６９３規格がある。表１にＩＳＯ１４４４３規格の内容を示す。表１から分かるように、ＲＷからＩＤタグに信号を送信する場合の変調方式および符号化方式と、ＩＤタグからＲＷに信号を送信する場合の変調方式および符号化方式は必ずしも一致していない。例えば、タイプＡの場合ではＲＷからＩＤタグに信号を送る場合の符号化方式はモディファイドミラーであるが、ＩＤタグからＲＷに送信する場合の符号化方式はマンチェスタである。また、ＲＷからＩＤタグに信号を送る場合の変調方式は、全てのタイプでＡＳＫ変調を採用している。しかし、ＩＤタグからＲＷに信号を送信する場合の変調方式は、タイプＡでは副搬送波のＡＳＫであり、タイプＢでは副搬送波の位相シフト・キーイング(ＢＰＳＫ変調)となっている。
【表１】
2006195550.tif 000003
【０００９】
このように、ＩＳＯ１４４４３でも３種類の通信方式があり、それぞれの方式に互換性がない。また、ＩＳＯ１５６９３もＩＳＯ１４４４３との間では互換性がない。ただ、両者の共通の仕様は、搬送波周波数（１３．５６ＭＨｚ）と変調方式である。具体的に、変調方式に関して、ＲＷからＩＤタグへの通信仕様としてＡＳＫ変調方式が使用され、ＩＤタグからＲＷへの通信仕様において返信方式として負荷変調方式が使用されているが、それらの仕様を除けば、ビット・コーディング（符号化）方式、コマンドやデータを送受信する伝送プロトコル仕様は方式ごとに異なっている。そのため、複数の通信規格のＩＤタグを対象とする場合、それぞれの通信規格に対応した仕様のＩＤタグＲＷを使用する必要があった。また、複数の通信規格のＩＤタグを混在して使用することもできなかった。
【発明の開示】
【発明が解決しようとする課題】
【００１０】
本発明は、このような事情を考慮してなされたものであって、複数のＩＤタグを一つのＲＷで制御可能で、回路規模が小さく安価に構成できるリーダ・ライタ装置を提供することを目的とする。
【課題を解決するための手段】
【００１１】
本発明は上述の目的を達成するためになされたもので、請求項１のリーダ・ライタ装置は、複数のＩＤタグにそれぞれ対応した複数のチャンネルと、上記複数のチャンネルとの間でデータを送受信するコントローラを備え、上記複数のチャンネルはそれぞれ、対応するＩＤタグの通信仕様に対応するアンテナ部と変復調部を有し、上記コントローラは、通信相手となるＩＤタグの通信仕様に応じて、当該通信相手となるＩＤタグと通信可能な状態に切り替わることを特徴とすることを特徴とする。
【００１２】
請求項２のリーダ・ライタ装置は、上記複数のチャンネルがそれぞれ、各ＩＤタグの通信仕様に対応した周波数の搬送波を出力することを特徴とする。
【００１３】
請求項３のリーダ・ライタ装置は、上記コントローラが、上記コントローラに入力される送信データに基づいて上記伝送プロトコルを選択することを特徴とする請求項１又は２に記載のリーダ・ライタ装置。
【００１４】
請求項４のリーダ・ライタ装置は、上記コントローラが、通信相手となるＩＤタグの通信仕様に応じた伝送プロトコルを選択する伝送プロトコル切換部を有することを特徴とする。
【００１５】
請求項５のリーダ・ライタ装置は、上記コントローラが、上記コントローラに入力される送信データに基づいて符号化変復調方式を選択することを特徴とする請求項１〜４のいずれかに記載のリーダ・ライタ装置。
【００１６】
請求項６のリーダ・ライタ装置は、上記コントローラが、通信相手となるＩＤタグの通信仕様に応じた符号化変復調方式を選択する符号化切換部を有することを特徴とする。
【００１７】
請求項７のリーダ・ライタ装置は、上記コントローラが、
上記複数のＩＤタグのそれぞれに対応する通信仕様の信号を作成し、
上記作成された信号を対応するチャンネルから出力し、
上記チャンネルから出力された信号に応答する信号から伝送プロトコルと符号化変復調方式を決定することを特徴とする。
【００１８】
請求項８のリーダ・ライタ装置は、
第１の通信方式に対応した第１のチャンネルと、
上記第１のチャンネルと異なる第２の通信方式に対応した第２のチャンネルと、
上記第１及び第２のチャンネルとの間でデータを送受信するコントローラを備え、
上記コントローラは上記第１のチャンネル又は第２のチャンネルに対応した通信仕様を選択することを特徴とする。
【００１９】
請求項９のリーダ・ライタ装置は、上記第２の通信方式が光による通信方式であることを特徴とする。
【００２０】
請求項１０のリーダ・ライタ装置は、上記第２の通信方式が有線による通信方式である有線により情報を伝送することを特徴とする。
【００２１】
請求項１１のリーダ・ライタ装置は、上記第２の通信方式が無線による通信方式であることを特徴とする。
【発明の効果】
【００２２】
本発明によれば、通信仕様の異なる複数のＩＤタグを一つのリーダ・ライタ装置で制御可能となり、複数のＩＤタグを混在して使用できる。
【発明を実施するための最良の形態】
【００２３】
以下、添付図面を参照して本発明の実施形態を説明する。
【実施の形態１】
【００２４】
図１は、本発明に係るリーダ・ライタ装置の構成を示す機能ブロック図である。図示するリーダ・ライタ装置は、符号１０によって全体が示されており、アナログフロントエンド部（以下、「フロントエンド部」と略す。）１２と、ＲＷコントローラ（制御部）１４を有する。フロントエンド部１２は、異なる通信仕様を有する複数のＩＤタグ１００（１００Ａ〜１００Ｎ）に対応する複数のチャンネル１６（１６Ａ〜１６Ｎ）を備えている。チャンネル１６（１６Ａ〜１６Ｎ）は、アンテナ部１８（１８Ａ〜１８Ｎ）と変復調部２０（２０Ａ〜２０Ｎ）を備えており、これらアンテナ部１８（１８Ａ〜１８Ｎ）と変復調部２０（２０Ａ〜２０Ｎ）の通信仕様が複数のＩＤタグ１００（１００Ａ〜１００Ｎ）の通信仕様に対応している。したがって、チャンネル１６ＡはＩＤタグ１００Ａ、チャンネル１６ＢはＩＤタグ１００Ｂ、・・・チャンネル１６ＮはＩＤタグ１００Ｎとの間でのみ相互に通信可能である。ＲＷコントローラ１４は、チャンネル１６（１６Ａ〜１６Ｎ）との間で信号の送受信が可能である。また、ＲＷコントローラ１４は、ホスト２２との間で信号の送受信可能である。
【００２５】
図２は、ＲＷコントローラ１４の構成を示す機能ブロック図である。図示するように、ＲＷコントローラ１４は、ホスト２２との間で信号の送受信を行うホストインターフェイス部３０、ＩＤタグ１００（１００Ａ〜１００Ｎ）との間で送受信するデータの伝送プロトコルを選択すると共に選択された伝送プロトコルによってデータをプロトコル解析する伝送プロトコル解析部（選択部）３２、シリアルデータをパラレルデータに又パラレルデータをシリアルデータに変換するシリアル／パラレル変換部３４、ＩＤタグ１００（１００Ａ〜１００Ｎ）との間で送受信するデータをそれぞれの通信仕様に準拠したビット・コーディング変調及びビット・コーディング復調する符号化変復調部３６を有する。例えば、ビット・コーディング変復調として、マンチェスタ符号化方式、ミラー符号化方式が知られている。
【００２６】
図３は、プロトコル解析部３２と符号化変復調部３６に関連する構成部分を示す。図示するように、ＲＷコントローラ１４は、プロトコル解析部３２に関連するプロトコル解析プログラム部３８と、符号化変復調部３６に関連する符号化変復調プログラム部４０と、ＣＰＵ４２を有する。プロトコル解析プログラム部３８は、送信データを送信先ＩＤタグの通信仕様に準拠してプロトコル解析すると共に受信データを送信元ＩＤタグの通信仕様に準拠してプロトコル解析するために、複数のＩＤタグ１００（１００Ａ〜１００Ｎ）に対応する伝送プロトコル４４（４４Ａ〜４４Ｎ）を備えている。符号化変復調プログラム部４０は、送信データを通信相手である送信先ＩＤタグの通信仕様に準拠して符号化変調と共に受信データを通信相手である送信元ＩＤタグの通信仕様に準拠して符号化復調するために、複数のＩＤタグ１００（１００Ａ〜１００Ｎ）に対応する符号化変調方式４６（４６Ａ〜４６Ｎ）を備えており、これらの符号化変調方式４６（４６Ａ〜４６Ｎ）に上述したマンチェスタ符号化方式、ミラー符号化方式等が含まれる。
【００２７】
このような構成において、ホスト２２から特定のＩＤタグ１００（１００Ａ…又は１００Ｎ）にデータを送信する場合、ホスト２２から出力された送信データはホストインターフェイス３０を介してＲＷコントローラ１４に入力される。送信データは、コマンド要求、送信先情報（送信先ＩＤタグ情報）、送信内容（送信データ）等を含む。ＲＷコントローラ１４の伝送プロトコル解析部３２、具体的にはＣＰＵ４２が、送信データに含まれる送信先ＩＤタグ情報をもとに、送信先ＩＤタグに対応する伝送プロトコル４４（４４Ａ…又は４４Ｎ）を選択し、選択された伝送プロトコルに基づき、送信先ＩＤタグの通信プロトコル仕様に準拠した通信プロトコルデータを作成する。通信プロトコルデータは、シリアル／パラレル変換部３４でシリアルデータに変換される。次に、変換されたシリアルデータは、符号化変復調部３６で、送信先ＩＤタグの通信仕様に準拠したビット・コーディング変調に変換される。このとき、符号化変復調部３６、具体的にはＣＰＵ４２が、送信先ＩＤタグ情報をもとに、送信先ＩＤタグに対応する符号化変復調方式４６（４６Ａ…又は４６Ｎ）を選択し、選択された符号化変復調方式に基づいて送信データを符号化変調し、送信先ＩＤタグの通信仕様に準拠して送信データを符号化する。ＲＷコントローラ１４は、送信先ＩＤタグ情報に基づいて送信先ＩＤタグに対応したチャンネルを選択し、該選択した送信先チャンネルにデータ（シリアルデジタル信号）を送信する。なお、ＲＷコントローラ１４は、特定の変復調部にデータを送信するために、各チャンネルの変復調部について予め決められた固有のアドレスを備えている。したがって、ＲＷコントローラ１４は、特定の変復調部２０を指定して当該指定された変復調部に符号化されたデータを送信できる。
【００２８】
変復調部２０は、チャンネルに送信された送信データをもとに搬送波を変調する。変復調部２０（２０Ａ〜２０Ｎ）で変調する搬送波の周波数ｆ（ｆａ〜ｆｎ）はチャンネルごとに異なる。本実施の形態において、変調部２０（２０Ａ〜２０Ｎ）はＡＳＫ変調方式を採用している。変調されたデータは対応するアンテナ部１８（１８Ａ〜１８Ｎ）から対応するＩＤタグ１００（１００Ａ〜１００Ｎ）に送信される。
【００２９】
アンテナ部１８（１８Ａ〜１８Ｎ）から送信されたデータは対応するＩＤタグ１００（１００Ａ〜１００Ｎ）で受信される。ＩＤタグ１００（１００Ａ〜１００Ｎ）は、信号を受信したアンテナ部に起電力を発生する。ＩＤタグは、この起電力を整流し、ＩＤタグ内に含まれる回路に供給する。アンテナ部が受信した信号は、ＡＳＫ復調回路で復調される。次に、復調用ビット・コーディングが、符号化されているシリアル信号をデジタル信号に復元する。ＩＤタグ制御部はＩＤタグの通信制御を行い、復元されたデジタル信号に基づいて、メモリから必要なデータを取り出し、これを変調用ビット・コーディング部に送信する。変調用ビット・コーディング部は、メモリから受信したデータをＩＤタグについて決められた通信仕様（符号化方式）に基づいて符号化する。符号化されたデータは、変調回路で負荷変調されてＩＤタグから出力され、対応するチャンネル１６（１６Ａ〜１６Ｎ）で受信される。
【００３０】
リーダ・ライタ装置１０とＩＤタグ１００（１００Ａ〜１００Ｎ）の間の通信は、電磁結合方式、電磁誘導方式、電波方式のいずれの方式であってもよい。
【００３１】
リーダ・ライタ装置１０のチャンネル１６（１６Ａ〜１６Ｎ）では、アンテナ部１８（１８Ａ〜１８Ｎ）で受信した信号を変復調部２０（２０Ａ〜２０Ｎ）で復調する。復調方式は、ＡＳＫ復調方式、位相検波方式、反射波検出方式などがある。復調方式とは関係なく、復調された信号は変復調部２０（２０Ａ〜２０Ｎ）でシリアルデジタルデータに変換され、ＲＷコントローラ１４に出力される。
【００３２】
ＲＷコントローラ１４では、符号化変復調３６、特にＣＰＵ４２が、ＲＷコントローラ１４に信号を出力したチャンネル１６（１６Ａ〜１６Ｎ）のアドレスをもとに、送信元ＩＤタグの通信仕様に準拠した符号化変復調方式４６（４６Ａ…又は４６Ｎ）を選択し、選択された符号化変復調方式に基づいてビット・コーディング復調を行う。復調されたデータは、シリアル／パラレル変換部３４でパラレルデータに変換される。次に、伝送プロトコル解析部３２は、チャンネル１６（１６Ａ〜１６Ｎ）のアドレスをもとに、送信元ＩＤタグの通信仕様に準拠した伝送プロトコル４４（４４Ａ…又は４４Ｎ）を選択し、選択された伝送プロトコルをもとにデータを解析して受信データ（応答コマンド、データ情報等を含む。）を取得する。取得したデータは、ホストインターフェイス部３０を介してホスト２２に送信される。
【００３３】
このように、実施の形態１によれば、チャンネル１６（１６Ａ〜１６Ｎ）はそれぞれにアンテナ部１８（１８Ａ〜１８Ｎ）と変復調部２０（２０Ａ〜２０Ｎ）を備えているため、複数の通信仕様を備えた複数のＩＤタグにそれぞれ対応可能である。また、各チャンネルには各通信仕様に対応したアンテナ部が設けてあるため、搬送波周波数が異なるＩＤタグを各チャンネルに対応させることができる。また、１３．５６ＫＨｚの搬送波周波数以外の長波帯の数百ＫＨｚの搬送波を使用するＩＤタグに対応するチャンネルを設けることも可能である。したがって、一般には搬送波の帯域が異なる場合にはアンテナ部の形状が異なるが、上述のようにチャンネルごとにアンテナ部を持つことで、各チャンネルの搬送波仕様が異なる場合でも、一つのＩＤタグ用リーダ・ライタで、通信仕様の異なる複数のＩＤタグと通信可能である。また、伝送プロトコル、符号化変復調方式は、ＲＷコントローラのプログラムを変更することで対応可能となる。
【００３４】
また、通信仕様の異なる複数のＩＤタグに対応して、複数のチャンネルにはそれぞれに変復調方式の異なる変復調部が設けてあるので、変復調方式が異なるＩＤタグをそれぞれのチャンネルに対応させることができる。そのため、ＩＤタグから受信した信号の復調方式は、搬送波の違い・アンテナ部の出力の違い・ＩＤタグとの通信距離の違い等に応じて最適な方式が選択されると共に、通信仕様の違いから復調方式に副搬送波を使用することもあるが、上述のように各チャンネルの変復調部は独立しているので、各ＩＤタグの通信仕様に対応した変復調が可能である。さらに、複数の変復調部の入出力はデジタルデータに共通化されるので、一つのＲＷコントローラですべてのチャンネルの制御とデータ入出力が可能である。
【他の形態１】
【００３５】
上述の説明では、ＲＷコントローラ１４のＣＰＵ４２に組み込まれたプログラムに従って伝送プロトコル解析と符号化変復調を行うが、これら伝送プロトコル解析と符号化変復調の構成及び動作は上述の実施形態に限定されるものでない。例えば、図４は、伝送プロトコル解析と符号化変復調に関する他の形態を示す。この形態において、ＲＷコントローラ１４は、伝送プロトコル切換部５０及び伝送プロトコル解析部５２と符号化切換部５４及び符号化変復調部５６を有する。伝送プロトコル解析部５２は、通信仕様の異なる複数のＩＤタグに対応して、複数の伝送プロトコル解析要素５８Ａ〜５８Ｎを有する。同様に、符号化変復調部５６は、通信仕様の異なる複数のＩＤタグに対応して、複数の符号化変復調要素６０Ａ〜６０Ｎを有する。これら解析要素及び変復調要素は、プログラムで構成してもよいし、物理的な回路構成によって構成してもよい。したがって、ＲＷコントローラ１４のプログラム又はハード構成を変更するだけで、複数の通信仕様に対応できる。
【００３６】
このような構成において、伝送プロトコル切換部５４は、ホスト２２から出力された送信データに含まれる送信先情報（又は通信仕様情報）又はチャンネル１６（１６Ａ〜１６Ｎ）から出力された受信データに含まれる送信元（ＩＤタグ）情報（又は通信仕様情報）をもとに、伝送プロトコル解析部５２に含まれる複数の伝送プロトコル解析要素５８Ａ〜５８Ｎの中から、当該情報に対応する伝送プロトコル解析要素５８Ａ…又は５８Ｎを選択し、この選択された解析要素で伝送プロトコル解析を行う。同様に、符号化切換部５４は、ホスト２２から出力された送信データに含まれる送信先情報（又は通信仕様情報）又はチャンネル１６（１６Ａ〜１６Ｎ）から出力された受信データに含まれる送信元（ＩＤタグ）情報（又は通信仕様情報）をもとに、符号化変復調部５６に含まれる複数の符号化変復調要素６０Ａ〜６０Ｎの中から、当該情報に対応する符号化変復調要素６０Ａ…又は６０Ｎを選択し、この選択された変復調要素でデータの変復調を行う。
【他の形態２】
【００３７】
以上の説明では、ＲＷコントローラ１４は、送信データ又は受信データに含まれる送信先情報又は送信元情報に基づいて対応する伝送プロトコルと符号化変復調方式を選択又は切り換えるものとしたが、ホスト２２が送信データとは別に送信先情報をＲＷコントローラ１４に送信し、この送信先情報に基づいてＲＷコントローラ１４が伝送プロトコル、符号化変復調方式、及びチャンネルを選択するようにしてもよい。
【他の形態３】
【００３８】
リーダ・ライタ１０と通信を行うＩＤタグを及びその通信に必要な通信仕様は、ホスト２２から出力された信号を利用することなく、決定することができる。例えば、マイクロコンピュータ２２で複数の通信仕様に準拠した複数の送信データを作成し、次に、作成された複数の送信データを対応する複数のチャンネルから順次出力し、次に、出力信号に応答したＩＤタグの返信を該ＩＤタグに対応するチャンネルで受信し、次に、該受信に基づいてチャンネルから出力される信号をＲＷコントローラ１４で受信し、その受信した信号から通信可能なＩＤタグの通信仕様をＲＷコントローラ１４で決定する。そして、このようにして決定されたＩＤタグ及び通信仕様に基づいて、以後のリーダ・ライタとＩＤタグの間で通信行われる。
【実施の形態２】
【００３９】
図５は、実施の形態２に係るリーダ・ライタを示す。このリーダ・ライタ７０は、ＩＤタグの通信方式を用いるチャンネル（第１のチャンネル）７２Ａと、ＩＤタグとは異なる通信方式（第２の通信方式）を利用するチャンネル（第２のチャンネル）７２Ｂ、７２Ｃ、７２Ｄを有する。ＩＤタグの通信方式以外の通信方式としては、例えば、光を用いた通信方式、有線を用いた通信方式、無線を用いた通信方式があり、実施の形態ではチャンネル７２Ｂが光通信方式、チャンネル７２Ｃが有線通信方式、チャンネル７２Ｄが無線通信方式を採用している。ＩＤタグの通信方式採用したチャンネル７２Ａでは、上述した実施の形態と同様のアンテナ部７４Ａと変復調部７６Ａが用いられる。光通信方式を採用したチャンネル７２Ｂはアンテナ部７４Ｂと変復調部７６Ｂを有し、この変復調部７６Ｂには光通信用変復調部が用いられる。有線通信方式を採用する場合、アンテナ部と変復調部に代えて、ケーブル７４Ｃと有線接続部７６Ｃが用いられる。無線通信方式を採用するチャンネル７２Ｄでは、アンテナ部７４Ｄと無線インターフェイス７６Ｄが用いられる。そして、ＲＷコントローラ８０は、送信データ又はホストから送信されるチャンネル情報若しく返信を受信したチャンネルからの出力に基づいて通信相手となるチャンネルを特定する。このような構成を採用するリーダ・ライタによれば、チャンネルごとに伝送方式が異なる場合でも、一つのリーダ・ライタで複数の通信方式に対応可能である。また、複数のチャンネルの入出力がシリアルデジタルデータに共通化されるので、一つのＲＷコントローラですべてのチャンネルの制御とデータ送受信が可能である。
【図面の簡単な説明】
【００４０】
【図１】本発明に係るリーダ・ライタの構成を示す機能ブロック図。
【図２】図１に示すＲＷコントローラの機能ブロック図。
【図３】図２に示す伝送プロトコル解析部と符号化変復調部の機能を説明する図。
【図４】伝送プロトコル解析部と符号化変復調部の機能を説明する図。
【図５】実施の形態２にリーダ・ライタの構成を示す機能ブロック図。
【図６】リーダ・ライタ装置とＩＤタグの構成を示すブロック図。
【符号の説明】
【００４１】
１０：ＩＤタグ用リーダ・ライタ（ＲＷ）、１２：アナログフロントエンド部、１４：ＲＷコントローラ（制御部）、１６（１６Ａ〜１６Ｎ）：チャンネル、１８（１８Ａ〜１８Ｎ）：アンテナ部、２０（２０Ａ〜２０Ｎ）：変復調部、２２：ホスト、３０：ホストインターフェイス部、３２：伝送プロトコル解析部（選択部）、３４：シリアル／パラレル変換部、３６：符号化変復調部、３８：プロトコル解析プログラム部、４０：符号化変復調プログラム部、４２：ＣＰＵ、４４（４４Ａ〜４４Ｎ）：伝送プロトコル、４６（４６Ａ〜４６Ｎ）：符号化変調方式、５０：伝送プロトコル切換部、５２：伝送プロトコル解析部、５４：符号化切換部、５６：符号化変復調部、５８：伝送プロトコル解析要素、６０：符号化変復調要素、７０：リーダ・ライタ、１００（１００Ａ〜１００Ｎ）：ＩＤタグ。
【図１】
2006195550.tif 000004
【図２】
2006195550.tif 000005
【図３】
2006195550.tif 000006
【図４】
2006195550.tif 000007
【図５】
2006195550.tif 000008
【図６】
2006195550.tif 000009